(57)【特許請求の範囲】
【請求項１】
冷凍サイクルの蒸発器または凝縮器に用いられ２列の伝熱管を重ねて形成された熱交換器を有し、送風機により室内空気を吸い込み、吹き出す室内機において、
前記冷凍サイクルの作動流体は２種類以上の非塩素系フルオロカーボンを混合してなる冷媒とし、
２列の前記伝熱管のうち一方が接続された液冷媒分配器と、他方が接続されたガス冷媒分配器と、
前記２列のそれぞれの伝熱管の外部に、伝熱管の軸方向に略垂直にフィンを配置して、空気の流れる方向に対して上流側のフィンと、下流側のフィンの２列に構成し、
前記伝熱管による前記冷媒を分配する多段のパスのそれぞれは、それらの長さを前記熱交換器の長さの略１往復分の長さにすると共に、２列の前記フィンを通過する構成とし、
更に空気の流れる方向に対して上流側の前記フィンに組み立てられた伝熱管が前記液冷媒分配器に接続され、空気の流れる方向に対して下流側の前記フィンに組み立てられた伝熱管が前記ガス冷媒分配器に接続されている
ことを特徴とする室内機。
【請求項２】
冷凍サイクルの蒸発器または凝縮器に用いられ２列の伝熱管を重ねて形成された熱交換器を有し、送風機により室内空気を吸い込み、吹き出す室内機を備える空気調和機において、
前記冷凍サイクルの作動流体は２種類以上の非塩素系フルオロカーボンを混合してなる冷媒とし、
２列の前記伝熱管のうち一方が接続された液冷媒分配器と、他方が接続されたガス冷媒分配器と、
前記２列のそれぞれの伝熱管の外部に、伝熱管の軸方向に略垂直にフィンを配置して、空気の流れる方向に対して上流側のフィンと、下流側のフィンの２列に構成し、
前記伝熱管による前記冷媒を分配する多段のパスのそれぞれは、それらの長さを前記熱交換器の長さの略１往復分の長さにすると共に、２列の前記フィンを通過する構成とし、
更に空気の流れる方向に対して上流側の前記フィンに組み立てられた伝熱管が前記液冷媒分配器に接続され、空気の流れる方向に対して下流側の前記フィンに組み立てられた伝熱管が前記ガス冷媒分配器に接続されている
ことを特徴とする空気調和機。
【発明の詳細な説明】
【技術分野】
【０００１】
本発明は、冷凍サイクルに蒸発器あるいは凝縮器として用いられる熱交換器および室内機並びに熱交換器の製作方法に関し、冷凍サイクルに非共沸混合冷媒を用いた熱交換器、複数列のクロスフローフィンチューブタイプの熱交換器に好適である。
【背景技術】
【０００２】
従来、冷凍サイクルの蒸発器あるいは凝縮器として用いられる熱交換器の形態の一つに、内部が冷媒の通路である伝熱管の外部に管軸方向に垂直なフィンを構成して空気と熱交換する、いわゆるクロスフローフィンチューブタイプの熱交換器がある。この熱交換器は伝熱管の配列が等間隔のピッチで構成されており、予め伝熱管の外径よりわずかに大きい内径の穴が加工されたフィンを層状にならべて、Ｕ字形状に加工された伝熱管を貫通挿入し、伝熱管内部より圧力をかけて拡管することで伝熱管外面とフィン穴内面を接触させ、かん合するようにして組み立てられる。
【０００３】
また、熱交換器は機器の大きさや伝熱性能の観点から、空気の流れ方向側に対しては伝熱管の配列が２列以上を必要とする場合が多く、例えば特許文献１に示されるようなものが知られている。
【０００４】
【特許文献１】特開昭６３−１７３６４号公報
【発明の開示】
【発明が解決しようとする課題】
【０００５】
上記従来技術は、伝熱管の配列を２列としているが、１列フィンの熱交換器として構成され、２列以上に熱交換器を重ねるものではなく、組立が必ずしも容易とは言い難かった。
【０００６】
本発明の目的は、Ｒ２２規制のため２種類以上の非塩素系フルオロカーボンを混合してなる冷媒を代替冷媒として用いる場合、熱交換器の大きさ、冷媒通路の適正化などを考慮して性能向上を図ることにある。
【０００７】
また、熱交換器の性能を向上し、必要な熱交換容量に対して自由度を広げると共に、組立性が良く安価な熱交換器を提供することにある。
【課題を解決するための手段】
【０００８】
上記目的を達成するため、本発明は、冷凍サイクルの蒸発器または凝縮器に用いられ２列の伝熱管を重ねて形成された熱交換器を有し、送風機により室内空気を吸い込み、吹き出す室内機又はこれを備える空気調和機において、前記冷凍サイクルの作動流体は２種類以上の非塩素系フルオロカーボンを混合してなる冷媒とし、２列の前記伝熱管のうち一方が接続された液冷媒分配器と、他方が接続されたガス冷媒分配器と、前記２列のそれぞれの伝熱管の外部に、伝熱管の軸方向に略垂直にフィンを配置して、空気の流れる方向に対して上流側のフィンと、下流側のフィンの２列に構成し、前記伝熱管による前記冷媒を分配する多段のパスのそれぞれは、それらの長さを前記熱交換器の長さの略１往復分の長さにすると共に、２列の前記フィンを通過する構成とし、更に空気の流れる方向に対して上流側の前記フィンに組み立てられた伝熱管が前記液冷媒分配器に接続され、空気の流れる方向に対して下流側の前記フィンに組み立てられた伝熱管が前記ガス冷媒分配器に接続されていることを特徴とする。
【発明の効果】
【００１２】
本発明によれば、２種類以上の非塩素系フルオロカーボンを混合してなる冷媒を代替冷媒として用い、冷媒通路を適正化して性能向上を図ると共に、必要な熱交換容量に対して自由度を広げ、組立性が良く安価なものとすることができる。
【発明を実施するための最良の形態】
【００１３】
本発明の実施の形態を図１ないし図７を参照して説明する。図１は、蒸気圧縮冷凍サイクルを用いた空気調和機における室内機の熱交換器の構造を示す斜視図、図２は一実施の形態のパス配列を示す側面図、図３は実施の形態を示す上面図、図４は他の実施の形態を示す上面図、図５は他の実施の形態を示す上面図、図６は一実施の形態における制作方法を示し、主に接続管の部分の斜視図、図７は一実施の形態における制作方法を示し、フィンの曲げ加工を示す側面図、図８は従来のパス配列を示す側面図である。
【００１４】
本室内機は、一般に４方向吹出天井埋込タイプと呼ばれる形態のものであり、中央より室内空気を吸い込み、遠心型送風機により空気を放射方向に吹き出し、遠心型送風機の周囲を囲むように設置された熱交換器と熱交換した後、室内へ送られるようになっている。図中の矢印は空気の流れ方向を示している。
【００１５】
本図のものは、同一段数（４段）のフィンを２枚重ねて２列にした熱交換器であり、冷媒の通路となる伝熱管の軸方向に垂直なフィンを設けて空気と熱交換する、いわゆるクロスフローフィンチューブタイプの形態である。
【００１６】
４方向吹出天井埋込タイプでは、中心に遠心型送風機を配置してその周囲を取り巻くように熱交換器を設置する必要があり、天井裏に設置されるために高さ方向も極力低くすることが望ましい。そのため、熱交換器は比較的に長いものとなる。  
よって、冷媒を分配するパスの長さは、その圧力損失を最小とするように最短パスとすることが良く、長さ方向の１往復分に相当するＵ字型の伝熱管１本毎に、１パスとすることが良い。
【００１７】
このようにフィンの長さを長くする必要のある場合は、伝熱管の長さも長くなる。冷媒流動による圧力損失を小さくするためには、冷媒の通路を分配する各パスの長さがＵ字形状に加工された伝熱管１本分で１パスを構成する必要がある。
【００１８】
本実施の形態では、図２に示すように、空気の流れに対して後列となるフィン１と前列のフィン２に接続管５をつないでいる。これにより冷媒を分配する伝熱管による各パスともフィン１とフィン２を冷媒が通過することになるので、各パス間の熱交換量の格差が小さくなり、各パスへの冷媒流量の分配も比較的容易に設定できるようになる。冷媒流量の分配の調整は、例えば網細管の抵抗調節によって行なうことができる。
【００１９】
これに対し、図８に示すような従来のパス配列では、フィンを２枚重ねるので、フィン１とフィン２に一つのパスが別れてしまう。よって、空気の流れに対して上流側にあり熱交換量が大きいフィン２と、下流にあるため空気温度と冷媒温度の差が小さくなってしまうフィン１で、各パスにおいて冷媒流量の分配が難しくなる。
【００２０】
また、本実施の形態では、ガス冷媒分配器３を空気後流側の後列のフィン１に接続し、液冷媒分配器４を前列のフィン２に接続し、暖房で用いた場合、空気の流れ方向に対して対向流的な配置としている。これによりフィン１でも空気温度と冷媒温度の差を大きくできるので、凝縮性能の向上を図ることができる。
【００２１】
さらに、ガス冷媒分配器３と液冷媒分配器４を完全に分離しているので、フィンの製造誤差による接続箇所の高さにずれを生じても良くなり、製造上の不具合が軽減される。
【００２２】
また、図８に示した従来例のように２段が一組になるので偶数倍の段数しか選択できなかったが、本実施の形態では１段づつ選択することができるので、必要熱交換容量にたいして、設計の自由度を拡大できる。
【００２３】
さらに、段数の違いに対して、等ピッチで熱交換器高さやガス冷媒分配器の高さを変化させれば良いので、標準化設計に対しても非常に有利となる。
【００２４】
図３に示される実施の形態は空気通路部に目一杯、むだなくフィンを配置するように、後列のフィン１と前列のフィン２の長さを、フィン１が曲げ部の円周長差の分だけ長くなるようにしている。
【００２５】
これに対し、図４および図５に示す実施の形態は、フィン１とフィン２の長さを同一として、同じフィンを用いている。図４の例は、接続管５側の端面を基準として曲げ加工をしたもので、円周長さの差の分だけフィン１が短くなる。また、図５ではガス冷媒分配器３と液冷媒分配器４を基準に同じ長さの熱交換器を曲げるので、接続管５側の端面があわなくなるが、接続管５の形状をＪ字型にして長さの差を補っている。
【００２６】
図４、図５のいずれもフィン１、２の長さを一種類とすることができるので、長さ変更のため製造装置の段取りを変更するなどの時間が短縮でき、生産性が向上する。また、標準化にも有利である。
【００２７】
図６は本発明の熱交換器の製作方法手順を示し、２枚のフィンの各列のそれぞれに伝熱管を挿入して拡管し、所望の形状に曲げ加工を施し、各列間の伝熱管を連結管で接続することにより行われる。そして、その後、Ｕ字部分を切断する。
【００２８】
つぎに、切断された端部の内径を拡管して接続管であるベンド管を斜めに前後の列に渡して接続する。
【００２９】
これにより、熱交換器の製造工程は拡管まで従来と同一にでき、製造誤差により接続箇所の高さが多少ずれても良くなり、制作が容易となる。さらに、切断により切り落としたＵ部の転用もできるので経済的である。
【００３０】
以上の実施の形態は冷凍サイクルの作動流体を２種類以上の非塩素系フルオロカーボンを混合してなる非共沸混合冷媒としたものに適用することができる。これによれば小形化され、低価格であり、非共沸混合冷媒としたにも係わらず性能を損なうことがない。
【図面の簡単な説明】
【００３１】
【図１】空気調和機における室内機の熱交換器の構造を示す斜視図である。
【図２】一実施の形態のパス配列を示す側面図である。
【図３】図１の一実施の形態を示す上面図である。
【図４】他の実施の形態を示す上面図である。
【図５】他の実施の形態を示す上面図である。
【図６】一実施の形態における制作方法を示し、主に接続管の部分の斜視図である。
【図７】一実施の形態における制作方法を示し、フィンの曲げ加工を示す側面図である。
【図８】従来のパス配列を示す側面図である。
【符号の説明】
【００３２】
１、２…フィン、３…ガス冷媒分配器、４…液冷媒分配器、５…接続管、６…遠心型送風機。
【図１】
0003952047.tif 000002
【図２】
0003952047.tif 000003
【図３】
0003952047.tif 000004
【図４】
0003952047.tif 000005
【図５】
0003952047.tif 000006
【図６】
0003952047.tif 000007
【図７】
0003952047.tif 000008
【図８】
0003952047.tif 000009